(57)【要約】【課題】放送と通信という異なる伝送路から配信される複数のコンテンツを統合して提示することができる受信機を提供する。【解決手段】受信機４は、番組コンテンツを受信可能な放送波受信部１１と、通信コンテンツを受信可能な通信部１４と、番組コンテンツと通信コンテンツとを表示するディスプレイ２１と、放送波受信部１１によって受信された番組コンテンツをディスプレイ２１の表示画面全体に表示させ、所定の操作が行われた場合に、ディスプレイ２１の表示画面全体に番組コンテンツを表示させると共に、通信部１４によって受信された通信コンテンツをディスプレイ２１の表示画面の一部に表示させるアプリケーション実行制御部１７と、を備える。アプリケーション実行制御部１７は、第１条件を満たすと、ディスプレイ２１の表示画面全体に通信コンテンツを表示させると共に、ディスプレイ２１の表示画面の一部に番組コンテンツを表示させる。【選択図】図３
2012244388.tif 000002
【特許請求の範囲】
【請求項１】
放送局から番組コンテンツを受信して表示する共に、通信ネットワークを介して接続されたサーバから放送に連携する通信コンテンツを受信して表示する、同時表示機能を備えた受信機であって、
番組コンテンツを受信可能な放送波受信手段と、
通信コンテンツを受信可能な通信手段と、
前記放送波受信手段によって受信された番組コンテンツを表示部の表示画面全体に表示させ、所定の操作が行われた場合に、前記同時表示機能を利用して前記表示部の表示画面全体に番組コンテンツを表示させると共に、前記通信手段によって受信された通信コンテンツを前記表示部の表示画面の一部に表示させる制御手段と、を備え、
前記制御手段は、番組コンテンツと通信コンテンツとを前記表示部に表示させている場合において、第１条件を満たすと、前記表示部の表示画面全体に通信コンテンツを表示させると共に、前記表示部の表示画面の一部に番組コンテンツを表示させるように入れ替える
受信機。
【請求項２】
前記第１条件を満たした場合とは、前記サーバに配置される計数手段によって前記サーバから前記通信手段及び複数の他の受信機における通信手段に対して送信される通信コンテンツの送信数を計数され、さらに、前記計数手段によって計数された前記送信数が所定数以上の場合に前記サーバから送信された、前記送信数が前記所定数以上になったことを示す情報を前記通信手段が受信した場合である
請求項１に記載の受信機。
【請求項３】
番組コンテンツの表示と通信コンテンツの表示とを切り替えるための操作が行われたことを検知する検知手段を備え、
前記第１条件を満たした場合とは、前記検知手段によって前記操作を検知した場合である
請求項１に記載の受信機。
【請求項４】
放送局から番組コンテンツを受信して表示する共に、通信ネットワークを介して接続されたサーバから放送に連携する通信コンテンツを受信して表示する、同時表示機能を備えた受信機が実行するプログラムであって、
番組コンテンツを受信する放送波受信工程と、
通信コンテンツを受信する通信工程と、
前記放送波受信工程によって受信された番組コンテンツを表示部の表示画面全体に表示させ、所定の操作が行われた場合に、前記同時表示機能を利用して前記表示部の表示画面全体に番組コンテンツを表示させると共に、前記通信工程によって受信された通信コンテンツを前記表示部の表示画面の一部に表示させる第１制御工程と、
番組コンテンツと通信コンテンツとを前記表示部に表示させている場合において、第１条件を満たすと、前記表示部の表示画面全体に通信コンテンツを表示させると共に、前記表示部の表示画面の一部に番組コンテンツを表示させるように入れ替える第２制御工程と、
を受信機に実行させるプログラム。
【発明の詳細な説明】
【技術分野】
【０００１】
本発明は、放送と通信の連携を図る機能を有する受信機に関する。
【背景技術】
【０００２】
近年、放送のデジタル化と通信のブロードバンド化の進展に伴い、放送通信連携サービスの実現に向けた研究開発が行われている。
【０００３】
また、この放送通信連携サービスにおいては、放送と通信という異なる伝送路を用いて複数のコンテンツを配信し、デジタルテレビ等の受信機において、配信された複数のコンテンツを統合して提示する形態が想定される。
【０００４】
ところで、現在、放送局から送信された番組コンテンツを画面に表示すると共に、ＰｉｎＰ（Ｐｉｃｔｕｒｅ  ｉｎ  Ｐｉｃｔｕｒｅ）機能を利用して、新着情報等を画面に表示するテレビがある（特許文献１を参照）。
【先行技術文献】
【特許文献】
【０００５】
【特許文献１】特開２００６−３３３１０１号公報
【発明の概要】
【発明が解決しようとする課題】
【０００６】
放送と通信という異なる伝送路を用いて複数のコンテンツを受信機で受信する技術と、ＰｉｎＰ機能を利用して異なる映像をそれぞれ画面に表示する技術の融合が望まれている。
【０００７】
本発明は、放送と通信という異なる伝送路から配信される複数のコンテンツを統合して提示することができる受信機を提供することを一つの目的とする。
【課題を解決するための手段】
【０００８】
本発明に係る受信機は、放送局から番組コンテンツを受信して表示する共に、通信ネットワークを介して接続されたサーバから放送に連携する通信コンテンツを受信して表示する、同時表示機能を備えた受信機であって、番組コンテンツを受信可能な放送波受信手段と、通信コンテンツを受信可能な通信手段と、前記放送波受信手段によって受信された番組コンテンツを表示部の表示画面全体に表示させ、所定の操作が行われた場合に、前記同時表示機能を利用して前記表示部の表示画面全体に番組コンテンツを表示させると共に、前記通信手段によって受信された通信コンテンツを前記表示部の表示画面の一部に表示させる制御手段と、を備え、前記制御手段は、番組コンテンツと通信コンテンツとを前記表示部に表示させている場合において、第１条件を満たすと、前記表示部の表示画面全体に通信コンテンツを表示させると共に、前記表示部の表示画面の一部に番組コンテンツを表示させるように入れ替える構成とした。
【０００９】
かかる構成によれば、ディスプレイの表示画面全体に表示される映像と、ディスプレイの表示画面の一部に表示される映像とを入れ替える（切り替える）ことができる。
【００１０】
また、前記第１条件を満たした場合とは、前記サーバに配置される計数手段によって前記サーバから前記通信手段及び複数の他の受信機における通信手段に対して送信される通信コンテンツの送信数を計数され、さらに、前記計数手段によって計数された前記送信数が所定数以上の場合に前記サーバから送信された、前記送信数が前記所定数以上になったことを示す情報を前記通信手段が受信した場合であることが好ましい。
【００１１】
かかる構成によれば、視聴者（ユーザ）が視聴を望む通信コンテンツを番組コンテンツよりも優先させて、視聴者に視聴させることができる。
【００１２】
また、受信機は、番組コンテンツの表示と通信コンテンツの表示とを切り替えるための操作が行われたことを検知する検知手段を備え、前記第１条件を満たした場合とは、前記検知手段によって前記操作を検知した場合であることが好ましい。
【００１３】
かかる構成によれば、視聴者の数が所定数以上になった通信コンテンツ（視聴者に人気のある通信コンテンツ）を番組コンテンツよりも優先させて、視聴者に視聴させることができる。
【００１４】
また、本発明に係るプログラムは、放送局から番組コンテンツを受信して表示する共に、通信ネットワークを介して接続されたサーバから放送に連携する通信コンテンツを受信して表示する、同時表示機能を備えた受信機が実行するプログラムであって、番組コンテンツを受信する放送波受信工程と、通信コンテンツを受信する通信工程と、前記放送波受信工程によって受信された番組コンテンツを表示部の表示画面全体に表示させ、所定の操作が行われた場合に、前記同時表示機能を利用して前記表示部の表示画面全体に番組コンテンツを表示させると共に、前記通信工程によって受信された通信コンテンツを前記表示部の表示画面の一部に表示させる第１制御工程と、番組コンテンツと通信コンテンツとを前記表示部に表示させている場合において、第１条件を満たすと、前記表示部の表示画面全体に通信コンテンツを表示させると共に、前記表示部の表示画面の一部に番組コンテンツを表示させるように入れ替える第２制御工程と、を受信機に実行させる構成とした。
【００１５】
かかる構成によれば、ディスプレイの表示画面全体に表示される映像と、ディスプレイの表示画面の一部に表示される映像とを入れ替える（切り替える）ことができる。
【発明の効果】
【００１６】
本発明によれば、放送と通信という異なる伝送路から配信される複数のコンテンツを統合して提示することができる。
【図面の簡単な説明】
【００１７】
【図１】放送通信連携システムの全体構成図である。
【図２】デジタル放送に係る放送信号の伝送プロトコルのスタックを示す図である。
【図３】受信機の機能構成を示すブロック図である。
【図４】ＸＭＬ形式で記述されたＡＩＴの一例を示す図である。
【図５】ディスプレイに表示される画面の遷移図である。
【図６】サービスサーバの構成について説明するためのブロック図である。
【図７】アプリケーション実行制御部の構成について説明するためのブロック図である。
【図８】受信機の動作について説明するためのフローチャートである。
【発明を実施するための形態】
【００１８】
以下、本発明の実施の形態について図面を参照して説明する。
図１は、本発明の一実施形態に係る放送通信連携システム１００の全体構成図である。放送通信連携システム１００は、放送局１と、放送用アンテナ２と、サービスサーバ３（配信サーバ）と、受信機４とを含んで構成される。この放送通信連携システム１００では、受信機４において、ＩＳＤＢ（Ｉｎｔｅｇｒａｔｅｄ  Ｓｅｒｖｉｃｅｓ  Ｄｉｇｉｔａｌ  Ｂｒｏａｄｃａｓｔｉｎｇ：統合デジタル放送サービス）方式によって放送局１から提供される放送サービスと、インターネット等により構成される通信ネットワークＮを介してサービスサーバ３から提供される通信サービスとを連携し、放送通信連携サービスとして受信機４のユーザに提供する。
【００１９】
放送局１は、番組編成設備と、番組送出設備と、送信設備とを含んで構成される一般的なデジタル放送用の放送設備（図示省略）を備える。
放送局１は、放送設備によって、コンテンツや、イベント情報（Ｅｖｅｎｔ  Ｉｎｆｏｒｍａｔｉｏｎ  Ｔａｂｌｅ：ＥＩＴ）や、アプリケーション管理情報（Ａｐｐｌｉｃａｔｉｏｎ  Ｉｎｆｏｒｍａｔｉｏｎ  Ｔａｂｌｅ：ＡＩＴ）等を制作する。そして、放送局１は、放送設備によって、これらコンテンツ、イベント情報及びＡＩＴ等を放送信号に多重化する。そして、放送局１は、放送設備によって、この放送信号を放送波に変調し、放送用アンテナ２を介して放送波を放送する。
【００２０】
放送局１から放送される放送波に含まれるコンテンツには、放送スケジュールに従って放送され映像や音声を含んで構成されるコンテンツである番組コンテンツや、番組コンテンツとは非同期に発生する緊急地震速報等のコンテンツである緊急コンテンツ等が含まれる。
【００２１】
イベント情報は、番組コンテンツの名称、番組コンテンツの放送日時、番組コンテンツの説明等、コンテンツに関するメタ情報を含む。以下、イベント情報をＥＩＴという。
ＡＩＴは、番組コンテンツに連動するコンテンツを受信機４に提供可能なアプリケーションプログラム（以下、アプリケーションと記載する）を１又は複数管理するための管理情報である。ＡＩＴには、１又は複数のアプリケーションそれぞれに対応し、１又は複数のアプリケーションそれぞれを管理するための個別管理情報が、１又は複数含まれる。個別管理情報には、アプリケーションを識別するアプリケーションＩＤや、アプリケーションのライフサイクルを制御するライフサイクル制御情報や、アプリケーションの所在を示すロケーション情報が含まれている（図４参照）。
【００２２】
アプリケーションにより提供されるコンテンツには、番組コンテンツに連動するコンテンツ及び番組コンテンツに連動しないコンテンツが含まれる。以下、アプリケーションにより提供されるコンテンツをアプリ用コンテンツという。
【００２３】
放送信号は、従来のデジタル放送の放送信号と同一であり、ＡＲＩＢ（登録商標）（Ａｓｓｏｃｉａｔｉｏｎ  ｏｆ  Ｒａｄｉｏ  Ｉｎｄｕｓｔｒｉｅｓ  ａｎｄ  Ｂｒｏａｄｃａｓｔ：社団法人電波産業会）標準規格で規定される。
【００２４】
図２は、デジタル放送に係る放送信号の伝送プロトコルのスタックを示す図である。図２に示すように、デジタル放送によって提供される映像、音声等の各種データは、国際標準規格ＭＰＥＧ−２  Ｓｙｓｔｅｍｓで規定されるＴＳパケット（トランスポートストリームパケット）に格納されて、時分割で多重伝送される。
【００２５】
ＴＳパケットには、図２に示すように、セクションに対してＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ）が規定されている。ＰＳＩ／ＳＩには、ＴＳパケットに格納されているデータの種別を示す情報や、コンテンツの種別を示す情報が含まれている。上述のＥＩＴは、ＳＩに含まれている。
【００２６】
ＴＳパケットによるデータ伝送は、セクションを用いてデータを伝送する方式とＰＥＳ（Ｐａｃｋｅｔｉｚｅｄ  Ｅｌｅｍｅｎｔａｒｙ  Ｓｔｒｅａｍ）パケットを用いてデータを伝送する方式（データストリーム伝送方式）とに分類される。
【００２７】
セクションを用いてデータを伝送する方式には、データカルーセル伝送方式と、イベントメッセージ伝送方式がある。
【００２８】
データカルーセル伝送方式は、１又は複数のデータを一定周期で繰り返し伝送される伝送方式であり、この伝送方式によって伝送される個々のデータ（モジュール）には個々のデータを識別するための識別情報が付されている。データカルーセル伝送方式は、受信機４側に個々のデータを任意のタイミングで取得させることを目的として用いられる。
【００２９】
イベントメッセージ伝送方式は、放送局１から受信機４に対して、トリガ信号を送るための方式である。イベントメッセージ伝送方式は、データ量が少ないメッセージを放送局１から受信機４に伝送する場合に用いられる。
【００３０】
データストリーム伝送方式は、伝送するデータをＰＥＳパケットに収容してストリームとして伝送する伝送方式である。データストリーム伝送方式は、映像、音声、字幕データ等のリアルタイム型のデータや、他のストリームとの同期を要するデータの伝送に用いられる。
【００３１】
ここで、ＡＩＴは、ＴＳパケットを用いて様々な方法によって伝送可能である。
すなわち、ＡＩＴは、ＴＳパケットのＳＩに含まれるＥＩＴに対して記述することによって伝送可能である。
【００３２】
また、ＡＩＴは、セクションを用いてデータカルーセル伝送方式により伝送可能である。ＡＩＴをデータカルーセル伝送方式により伝送する場合、受信機４側でＡＩＴであることを認識できるようにモジュールに対して識別情報が付される。
【００３３】
また、ＡＩＴは、ＰＥＳとしてコンテンツの映像や音声に多重させて伝送可能である。
【００３４】
また、ＡＩＴは、バイナリ表現又はＸＭＬ（Ｅｘｔｅｎｓｉｂｌｅ  Ｍａｒｋｕｐ  Ｌａｎｇｕａｇｅ）によるテキスト表現で記述して、ＴＳパケットに格納することができる。
本実施形態では、ＡＩＴの伝送方法は、上記の伝送方法の少なくともいずれかに予め規定されているものとする。
【００３５】
マルチメディア符号化（ＢＭＬ：Ｂｒｏａｄｃａｓｔ  Ｍａｒｋｕｐ  Ｌａｎｇｕａｇｅ）は、Ｗ３Ｃ（登録商標）（Ｗｏｒｌｄ  Ｗｉｄｅ  Ｗｅｂ  Ｃｏｎｓｏｒｔｉｕｍ）が定義したｘＨＴＭＬを基礎とし、手続き型言語にはＪａｖａＳｃｒｉｐｔ（登録商標）を基礎としたＥＣＭＡＳｃｒｉｐｔを用いて国際標準との整合性を考慮して定義された規格である。
【００３６】
サービスサーバ３は、図示は省略するが、番組コンテンツや、アプリケーションに対して配信するコンテンツ（アプリ用コンテンツ）を配信するコンテンツ配信サーバと、受信機４で動作する各種のアプリケーションを配信するアプリケーション配信サーバとを備える。
【００３７】
サービスサーバ３は、放送局１の設備と通信可能に接続されており、放送局１から番組コンテンツや、番組コンテンツのメタデータを受信する。
サービスサーバ３は、受信機４から番組コンテンツの取得要求を受け付けたことに応じて、受信機４に対して番組コンテンツを送信する。
【００３８】
また、サービスサーバ３は、受信機４からアプリケーションの取得要求を受け付けたことに応じて、受信機４に対してアプリケーションを送信する。さらに、サービスサーバ３は、受信機４においてアプリケーションが実行されている場合に、アプリ用コンテンツの映像データや音声データ等を受信機４に送信する。
【００３９】
また、サービスサーバ３は、ＡＩＴを番組コンテンツに対して多重化させて受信機４に送信する。また、サービスサーバ３は、受信機４からＡＩＴの取得要求を受け付けたことに応じて、受信機４に対してＡＩＴを送信する。
【００４０】
受信機４は、放送局１からの放送又はサービスサーバ３との通信を介して受信する番組コンテンツに対して所定の処理を行うことにより、番組コンテンツの映像データ及び音声データを同期して出力する。また、受信機４は、ＡＩＴに基づいてアプリケーションを取得し、取得したアプリケーションを実行する。続いて、受信機４は、実行されているアプリケーションによってサービスサーバ３からアプリ用コンテンツの映像データや音声データ等を取得し、番組コンテンツの映像データ及び音声データに連携させて出力する。以下に、受信機４の機能について詳述する。
【００４１】
図３は、受信機４の機能構成を示すブロック図である。
受信機４は、放送波受信部１１と、第１分離部１２と、放送ＡＩＴ取得部１３と、通信部１４と、第２分離部１５と、通信ＡＩＴ取得部１６と、アプリケーション実行制御部１７と、音声制御部１８と、表示制御部１９と、スピーカ２０と、ディスプレイ２１と、メモリ２２と、ＡＩＴ記憶部２３とを備える。
【００４２】
放送波受信部１１は、放送用アンテナ２を介して放送局１から放送されている放送波を受信する。
【００４３】
第１分離部１２は、放送波受信部１１により受信した放送波を復調し、放送波から放送信号、すなわち、ＴＳパケットを抽出する。そして、第１分離部１２は、ＴＳパケットのＰＳＩ／ＳＩを参照して、ＴＳパケットに含まれているデータの種別を判別し、映像、音声、ＥＩＴ等の各種データを抽出する。また、第１分離部１２は、予め規定されているＡＩＴの伝送方法に応じて、セクション及びＰＥＳを参照してＡＩＴを抽出する。
【００４４】
続いて、第１分離部１２は、ＴＳパケットのＰＥＳに含まれているデータが音声データである場合、この音声データを音声制御部１８に出力する。また、第１分離部１２は、ＴＳパケットのＰＥＳに含まれているデータが映像データである場合、この映像データを表示制御部１９に出力する。
【００４５】
また、第１分離部１２は、抽出したＥＩＴやその他の各種データをメモリ２２に記憶させる。また、第１分離部１２は、ＡＩＴを抽出した場合、抽出したＡＩＴを放送ＡＩＴ取得部１３に出力する。
【００４６】
放送ＡＩＴ取得部１３は、第１分離部１２から出力されたＡＩＴを取得し、ＡＩＴ記憶部２３に記憶させる。
【００４７】
通信部１４は、通信ネットワークＮを介してサービスサーバ３とデータの送受信を行う通信インタフェースである。
【００４８】
第２分離部１５は、通信部１４により受信されたデータの種別を判別する。第２分離部１５は、受信したデータがＡＩＴであると判別した場合、このＡＩＴを通信ＡＩＴ取得部１６に出力する。また、第２分離部１５は、受信したデータがアプリケーションであると判別した場合、このアプリケーションをアプリケーション実行制御部１７に出力する。
【００４９】
例えば、第２分離部１５は、受信したデータがＴＳパケットであると判別した場合、映像、音声、ＡＩＴ等の各種データをＴＳパケットから抽出する。そして、第２分離部１５は、ＡＩＴを抽出した場合、このＡＩＴを通信ＡＩＴ取得部１６に出力し、ＡＩＴ以外のデータを抽出した場合、このデータをアプリケーション実行制御部１７に出力する。
【００５０】
通信ＡＩＴ取得部１６は、第２分離部１５から出力されたＡＩＴを取得し、ＡＩＴ記憶部２３に記憶させる。
【００５１】
アプリケーション実行制御部１７は、ＡＩＴ又はリモコンＲを介したユーザの実行指示に基づいてアプリケーションを取得し、取得したアプリケーションの実行を制御する。そして、アプリケーション実行制御部１７は、アプリケーションの実行によってサービスサーバ３から取得されたアプリ用コンテンツの音声データを音声制御部１８に出力すると共に、サービスサーバ３から取得されたアプリ用コンテンツの映像データを表示制御部１９に出力する。
【００５２】
図４は、ＸＭＬ形式で記述されたＡＩＴの一例を示す図である。上述したように、ＡＩＴには、１又は複数のアプリケーションそれぞれに対応し、１又は複数のアプリケーションそれぞれを管理するための個別管理情報が１又は複数含まれる。
具体的には、図４に示される＜ｍｈｐ：Ａｐｐｌｉｃａｔｉｏｎ＞タグから＜／ｍｈｐ：Ａｐｐｌｉｃａｔｉｏｎ＞タグまでに記述されているコードは、一のアプリケーションに関する個別管理情報に対応している。ＡＩＴには、＜／ｍｈｐ：Ａｐｐｌｉｃａｔｉｏｎ＞タグの後に、他のアプリケーションの個別管理情報を新たに記述することによって、複数の個別管理情報を記述することができる。
【００５３】
また、個別管理情報に対応するコードのうち、例えば、＜ｍｈｐ：ａｐｐＩｄ＞タグに対応するコードは、アプリケーションのＩＤ（識別情報）を示している。また、＜ｍｈｐ：ｃｏｎｔｒｏｌＣｏｄｅ  ｍｈｐ：ｔｙｐｅ＝“ＡＲＩＢ−Ｊ”＞タグに対応するコードは、このアプリケーションのライフサイクル制御情報を示しており、図４に示される「ＡＵＴＯＳＴＡＲＴ」は、受信機４によってアプリケーションを自動実行させるライフサイクル制御情報である。また、＜ｍｈｐ：ｌｏｃａｔｉｏｎ＞タグに対応するコードは、このアプリケーションの所在を示すロケーション情報を示している。図４に示されるように、ロケーション情報には、アプリケーションの所在として、サービスサーバ３のアドレスが記述されている。なお、ロケーション情報には、アプリケーションの所在として、受信機４を指定することもできる。
【００５４】
アプリケーション実行制御部１７は、ＡＩＴ記憶部２３を監視し、新たにＡＩＴが記憶された場合に、このＡＩＴに記述されているライフサイクルに係る制御情報を参照する。そして、アプリケーション実行制御部１７は、ライフサイクルに係る制御情報が「自動実行」を示すものである場合、ＡＩＴに記述されているロケーション情報をアプリケーションの取得先として、通信部１４及び第２分離部１５を介してサービスサーバ３からアプリケーションを取得し、取得したアプリケーションを実行する。この場合、アプリケーションは、受信機４のユーザから明示的な操作指示を受けることなく自動的に実行される。
【００５５】
また、アプリケーション実行制御部１７は、受信機４のユーザからリモコンＲを介してアプリケーションの実行指示を受け付ける。例えば、リモコンＲには、Ｈｙｂｒｉｄｃａｓｔ（登録商標）ボタンが設けられており、アプリケーション実行制御部１７は、受信機４のユーザによってＨｙｂｒｉｄｃａｓｔボタンが押下されたことに応じて、実行するアプリケーションの選択を受け付けるためのメニュー画面の実行指示を受け付ける。アプリケーション実行制御部１７は、メニュー画面の実行指示を受け付けたことに応じて、ＡＩＴ記憶部２３を参照し、実行可能なアプリケーションのＡＩＴを特定する。そして、アプリケーション実行制御部１７は、特定したＡＩＴに対応するアプリケーションを選択可能なメニュー画面を構成する映像データを表示制御部１９に出力して、このメニュー画面をディスプレイ２１に表示させる。受信機４のユーザからリモコンＲを介してアプリケーションの選択操作を受け付けた場合、アプリケーション実行制御部１７は、ＡＩＴに記述された当該アプリケーションのロケーション情報を参照してアプリケーションを取得し、アプリケーションを実行する。
【００５６】
アプリケーションは、アプリケーション実行制御部１７に対して、アプリ用コンテンツの映像データ及び音声データをサービスサーバ３から取得させる。そして、アプリケーション実行制御部１７は、アプリケーションによって取得したアプリ用コンテンツの音声データを音声制御部１８に出力すると共に、アプリケーションによって取得したアプリ用コンテンツの映像データを表示制御部１９に出力する。ここで、アプリケーションが番組コンテンツに連動するアプリコンテンツを提供するアプリケーションである場合には、アプリ用コンテンツの映像データ及び音声データが番組コンテンツの映像データ及び音声データに連動してディスプレイ２１に表示される。
【００５７】
また、アプリケーション実行制御部１７は、ＡＩＴ記憶部２３を監視し、実行中のアプリケーションに対応する個別管理情報を記述したＡＩＴが新たにＡＩＴ記憶部２３に記憶された場合、この個別管理情報に含まれるライフサイクル制御情報に基づいて、実行中のアプリケーションを制御する。例えば、アプリケーションのライフサイクル制御情報が「終了」を示すものであるとき、アプリケーションを終了させる。
【００５８】
音声制御部１８は、第１分離部１２から出力された音声データを、表示制御部１９により表示制御される映像データと同期をとりながらスピーカ２０に出力する。また、音声制御部１８は、アプリケーション実行制御部１７から出力された音声データが表示制御部１９により表示制御される映像データと同期可能である場合、この映像データと同期をとりながら音声データをスピーカ２０に出力する。
【００５９】
表示制御部１９は、第１分離部１２から出力された映像データを、音声制御部１８により出力制御される音声データと同期をとりながらディスプレイ２１に表示させる。また、表示制御部１９は、アプリケーション実行制御部１７から出力された映像データが音声制御部１８により出力制御される音声データと同期可能である場合、この音声データと同期をとりながら映像データをディスプレイ２１に表示させる。
【００６０】
メモリ２２は、ＥＩＴ等の番組コンテンツのメタ情報やその他各種情報を記憶する。
ＡＩＴ記憶部２３は、放送ＡＩＴ取得部１３及び通信ＡＩＴ取得部１６によって取得されたＡＩＴを記憶する。
【００６１】
このような放送通信連携システム１００の受信機４は、放送と通信という異なる伝送路から配信される複数のコンテンツを統合して提示する機能を有する。詳細には、受信機４は、所定の条件の場合に、ディスプレイ２１（本発明の「表示部」に対応する）の表示画面全体に表示されるコンテンツに基づく映像と、ディスプレイ２１の表示画面の一部に表示されるコンテンツに基づく映像とを切り替える機能を有する。
【００６２】
このような機能を発揮するために、受信機４は、以下のような構成になっている。図５は、ディスプレイ２１に表示される画面の遷移図である。図６は、サービスサーバ３の構成について説明するためのブロック図である。図７は、アプリケーション実行制御部１７の構成について説明するためのブロック図である。
【００６３】
放送波受信部１１（本発明の「放送波受信手段」に対応する）は、放送波に含まれる番組コンテンツを受信可能である。放送波受信部１１によって番組コンテンツを含む放送波が受信された場合、その放送波は、上述したように、第１分離部１２によって番組コンテンツ（映像及び音声）やＥＩＴ等に分離される。そして、番組コンテンツのうちの音声データは、音声制御部１８に送られる。音声制御部１８は、入力された音声データに基づく音声をスピーカ２０から出力させる。また、番組コンテンツのうちの映像データは表示制御部１９に送られる。表示制御部１９は、映像データに基づく映像をディスプレイ２１の表示画面全体に表示させる。図５（Ａ）に一例を示す場合では、ディスプレイ２１の表示画面全体には、映像データに基づく映像としてサッカーの試合（ドリブルを行っている選手）が表示される。
【００６４】
通信部１４（本発明の「通信手段」に対応する）は、ＴＳパケットに含まれるアプリ用コンテンツ（本発明の「通信コンテンツ」に対応する）を受信可能である。すなわち、通信部１４は、通信ネットワークＮを介して接続されたサービスサーバ３から放送に連携する通信コンテンツを受信可能である。
【００６５】
また、アプリケーション実行制御部１７（本発明の「制御手段」に対応する）は、放送波受信部１１によって受信された番組コンテンツをディスプレイ２１の表示画面全体に表示させ、所定の操作が行われた場合に、ディスプレイ２１の表示画面全体に番組コンテンツを表示させると共に、通信部１４に受信されたアプリ用コンテンツをディスプレイ２１の表示画面の一部に表示させる。
【００６６】
サービスサーバ３は、例えば、リモコンＲを介したユーザの実行指示（例えば、リモコンＲのＨｙｂｒｉｄｃａｓｔボタンが押下された後のアプリ用コンテンツ（アプリケーション）を選択する指示）に基づいて、アプリ用コンテンツを受信機４に送信する。通信部１４によってアプリ用コンテンツを含むＴＳパケットが受信された場合、そのＴＳパケットは、上述したように、第２分離部１５によってアプリ用コンテンツ（映像及び音声）やＡＩＴ等に分離される。そして、アプリ用コンテンツは、アプリケーション実行制御部１７に送られる。アプリケーション実行制御部１７は、アプリ用コンテンツのうちの音声データを音声制御部１８に送る。音声制御部１８は、ユーザの指示（上述したユーザの実行指示とは異なる指示）があった場合に、アプリ用コンテンツの音声データに基づく音声をスピーカ２０から出力させる。
【００６７】
また、アプリケーション実行制御部１７は、アプリ用コンテンツのうちの映像データを表示制御部１９に送る。表示制御部１９は、第１分離部１２から映像データが入力されるのに加えて、アプリケーション実行制御部１７からも映像データが入力された場合に、同時表示機能、すなわち、ＰｉｎＰ機能を実行する。すなわち、表示制御部１９は、アプリ用コンテンツの映像データに基づく映像をディスプレイ２１の表示画面の一部（小画面）に表示させる。この場合、ディスプレイ２１の表示画面全体（大画面）には、番組コンテンツの映像データに基づく映像が表示される。なお、小画面に表示される映像と、大画面に表示される映像とは同期される。なお、同期については、後述する。図５（Ｂ）に一例を示す場合では、ディスプレイ２１の表示画面全体には、番組コンテンツの映像データに基づく映像としてドリブルを行っているサッカー選手の映像が表示され、ディスプレイ２１の表示画面の一部には、アプリ用コンテンツの映像データに基づく映像としてサッカーゴールの裏からの映像（サッカー選手の映像に同期した映像）が表示される。
【００６８】
ここで、大画面に表示される映像と、小画面に表示される映像との同期について説明する。すなわち、表示制御部１９は、番組コンテンツと通信コンテンツについて、所定の基準同期信号に基づいて同期処理を行った後、同時表示機能（ＰｉｎＰ機能）を利用して、ディスプレイの表示画面全体に番組コンテンツを表示すると共に、ディスプレイの表示画面の一部に生成した小画面に通信コンテンツを表示する。したがって、ユーザは、アングルの異なるコンテンツを、一目で視聴することができる。
【００６９】
さらに、アプリケーション実行制御部１７は、番組コンテンツとアプリ用コンテンツとをディスプレイ２１に表示させている場合において、第１条件を満たすと、ディスプレイ２１の表示画面全体にアプリ用コンテンツを表示させると共に、ディスプレイ２１の表示画面の一部に番組コンテンツを表示させる。すなわち、アプリケーション実行制御部１７は、表示制御部１９によってＰｉｎＰ機能が実行されている場合において、第１条件を満たすと、番組コンテンツの映像データに基づく映像の表示画面と、アプリ用コンテンツの映像データに基づく映像との表示画面とを入れ替える（切り替える）よう表示制御部１９を制御する。表示制御部１９は、アプリケーション実行制御部１７の制御に基づいて、番組コンテンツの映像データに基づく映像の表示画面と、アプリ用コンテンツの映像データに基づく映像の表示画面とを切り替える。
【００７０】
これにより、ディスプレイ２１の表示画面全体には、アプリ用コンテンツの映像データに基づく映像が表示され、ディスプレイ２１の表示画面の一部には、映像コンテンツの映像データに基づく映像が表示される。図５（Ｃ）に一例を示す場合では、ディスプレイ２１の表示画面全体には、アプリ用コンテンツの映像データに基づく映像としてゴール裏からの映像が表示され、ディスプレイ２１の表示画面の一部には、番組コンテンツの映像データに基づく映像としてドリブルを行っているサッカー選手の映像が表示される。ここで、ゴール裏からの映像と、サッカー選手の映像とは、同期する。
【００７１】
なお、番組コンテンツの映像データに基づく映像の表示画面と、アプリ用コンテンツの映像データに基づく映像の表示画面とを切り替える場合には、音声制御部１８は、アプリケーション実行制御部１７の制御に基づいて、アプリ用コンテンツの音声データに基づく音声のみをスピーカ２０から出力させる。なお、音声制御部１８は、ユーザによって音声を切り替える操作が行われた場合には、番組コンテンツの音声データに基づく音声のみをスピーカ２０から出力させる。
【００７２】
ここで、第１条件を満たした場合とは、サービスサーバ３に配置される計数部３ａ（本発明の「計数手段」に対応する：図６参照）によって計数された送信数が所定数以上の場合に、サービスサーバ３から送信された、送信数が所定数以上になったことを示す情報（送信数情報）を通信部１４が受信した場合である。通信部１４が送信数情報を受信したか否かの判断は、アプリケーション実行制御部１７に配置される検知部１７ａ（図７参照）によって行われる。
【００７３】
計数部３ａは、サービスサーバ３から通信部１４及び複数の他の受信機４における通信部１４に対して送信されるアプリ用コンテンツの送信数を計数する。すなわち、計数部３ａは、複数の異なる受信機４のそれぞれに配置される通信部１４に対してサービスサーバ３からアプリ用コンテンツが送信される場合に、そのアプリ用コンテンツの送信数を計数する。この計数は、アプリ用コンテンツ毎に行われる。これにより、アプリ用コンテンツを受信する受信機４の数がわかる。換言すると、アプリ用コンテンツを視聴する視聴者の数がわかる。計数部３ａ（サービスサーバ３）は、アプリ用コンテンツ毎に計数される送信数が所定数以上となった場合には、送信数情報を通信部１４に送信する。通信部１４は、送信数情報を受信すると、その送信数情報をアプリケーション実行制御部１７に送る。検知部１７ａは、送信数情報を受信すると、通信部１４が送信数情報を受信したと判断する。アプリケーション実行制御部１７は、番組コンテンツに基づく映像の表示画面と、アプリ用コンテンツに基づく映像の表示画面とを切り替えるよう表示制御部１９を制御する。
【００７４】
また、第１条件を満たした場合とは、検知部１７ａ（図７参照）によって操作（切替操作）を検知した場合であってもよい。上述した検知部１７ａ（本発明の「検知手段」に対応する）は、番組コンテンツの表示とアプリ用コンテンツの表示とを切り替えるための切替操作が行われたことを検知することも可能である。例えば、ユーザがリモコンＲに配置される映像を切り替えるための切替ボタンを操作した場合、リモコンＲは、切替ボタンが操作されたことに基づく信号を通信部１４に送信する。通信部１４は、リモコンＲからの信号をアプリケーション実行制御部１７に送る。アプリケーション実行制御部１７の検知部１７ａは、通信部１４からの信号を受信して、番組コンテンツの映像データに基づく映像の表示画面と、アプリ用コンテンツの映像データに基づく映像の表示画面とを切り替えるための切替操作が行われたことを検知する。アプリケーション実行制御部１７は、検知部１７ａによって切替操作が行われたことを検知した場合には、番組コンテンツに基づく映像の表示画面と、アプリ用コンテンツに基づく映像の表示画面とを切り替えるよう表示制御部１９を制御する。
【００７５】
なお、上述した受信機４が実行するプログラムは、以下の構成になっている。
すなわち、プログラムは、放送局１から番組コンテンツを受信して表示する共に、通信ネットワークＮを介して接続されたサービスサーバ３から放送に連携する通信コンテンツを受信して表示する、同時表示機能を備えた受信機４が実行するプログラムである。
【００７６】
そして、プログラムは、放送波受信工程と、通信工程と、第１制御工程と、第２制御工程とを受信機４に実行させる。
放送波受信工程は、番組コンテンツを受信する。
通信工程は、通信コンテンツを受信する。
第１制御工程は、放送波受信工程によって受信された番組コンテンツをディスプレイ２１の表示画面全体に表示させ、所定の操作が行われた場合に、同時表示機能を利用してディスプレイ２１の表示画面全体に番組コンテンツを表示させると共に、通信工程によって受信された通信コンテンツをディスプレイ２１の表示画面の一部に表示させる。
第２制御工程は、番組コンテンツと通信コンテンツとをディスプレイ２１に表示させている場合において、第１条件を満たすと、ディスプレイ２１の表示画面全体に通信コンテンツを表示させると共に、ディスプレイ２１の表示画面の一部に番組コンテンツを表示させるように入れ替える。
【００７７】
次に、受信機４の動作について説明する。図８は、受信機４の動作について説明するためのフローチャートである。
【００７８】
ステップＳ１において、放送波受信部１１は、番組コンテンツ（放送波）を受信する。放送波受信部１１によって受信された放送波は、第１分離部１２によって番組コンテンツやＥＩＴ等に分離させる。
【００７９】
ステップＳ２において、ディスプレイ２１は、番組コンテンツの映像データに基づく映像を表示画面全体に表示する。また、スピーカ２０は、ディスプレイ２１に表示される映像に同期して、番組コンテンツの音声データに基づく音声を出力する。
【００８０】
ステップＳ３において、アプリケーション実行制御部１７は、例えば、リモコンＲを介したユーザの実行指示（例えば、リモコンＲのＨｙｂｒｉｄｃａｓｔボタンが押下された後のアプリ用コンテンツ（アプリケーション）を選択する指示）を検知する。
【００８１】
ステップＳ４において、通信部１４は、ステップＳ３において検知された実行指示に対応するアプリ用コンテンツを、サービスサーバ３から受信する。
【００８２】
ステップＳ５において、ディスプレイ２１は、ステップＳ４において受信されたアプリ用コンテンツに基づく映像データを、同時表示機能（ＰｉｎＰ機能）を利用して表示画面の一部（小画面）に表示する。これと同時に、ディスプレイ２１は、番組コンテンツの映像データに基づく映像を表示画面全体（大画面）に表示する。この場合、大画面に表示される映像と、小画面に表示される映像とは、同期する。
【００８３】
ステップＳ６において、アプリケーション実行制御部１７は、第１条件を満たしたか否かを判断する。第１条件を満たさない場合（Ｎｏ）には、ステップＳ６の判断が再度行われる。第１条件を満たす場合（Ｙｅｓ）には、処理は、ステップＳ７に進む。
【００８４】
ステップＳ７において、アプリケーション実行制御部１７は、番組コンテンツの映像データに基づく映像の表示画面と、アプリ用コンテンツの映像データに基づく映像の表示画面とを切り替えるように表示制御部１９を制御する。これにより、ディスプレイ２１の表示画面全体には、アプリ用コンテンツの映像データに基づく映像が表示される。これと同時に、ディスプレイ２１の表示画面の一部には、番組コンテンツの映像データに基づく映像が表示される。また、スピーカ２０は、番組コンテンツの音声データに基づく音声に代えて、アプリ用コンテンツの音声データに基づく音声を出力する。
【００８５】
以上説明したように、本実施形態の受信機４によれば、以下の効果が奏される。
すなわち、受信機４は、番組コンテンツの映像データに基づく映像をディスプレイ２１の表示画面全体に表示させ、アプリ用コンテンツの映像データに基づく映像をディスプレイ２１の表示画面の一部に表示させている場合において、第１条件を満たすと、映像を切り替える。これにより、ＰｉｎＰ機能を有する受信機４は、ディスプレイ２１の表示画面全体に表示される映像と、ディスプレイ２１の表示画面の一部に表示される映像とを切り替える（入れ替える）ことができる。
【００８６】
また、受信機４は、計数部３ａによって計数された送信数が所定数以上の場合にサービスサーバ３から送信される送信数情報を通信部１４が受信すると、第１条件を満たしたと判断する。これにより、受信機４は、視聴者の数が所定数以上になったアプリ用コンテンツ（視聴者に人気のあるアプリ用コンテンツ）を番組コンテンツよりも優先させて、視聴者に視聴させることができる。
【００８７】
さらに、受信機４は、検知部１７ａによって切替操作を検知した場合に第１条件を満たしたと判断する。これにより、受信機４は、視聴者（ユーザ）が視聴を望むアプリ用コンテンツを番組コンテンツよりも優先させて、視聴者に視聴させることができる。
【符号の説明】
【００８８】
１  放送局
２  放送用アンテナ
３  サービスサーバ
３ａ  計数部（計数手段）
４  受信機
１１  放送波受信部（放送波受信手段）
１４  通信部（通信手段）
１７  アプリケーション実行制御部（制御手段）
１７ａ  検知部（検知手段）
２１  ディスプレイ（表示手段）
【図１】
2012244388.tif 000003
【図２】
2012244388.tif 000004
【図３】
2012244388.tif 000005
【図４】
2012244388.tif 000006
【図５】
2012244388.tif 000007
【図６】
2012244388.tif 000008
【図７】
2012244388.tif 000009
【図８】
2012244388.tif 000010